(57)【要約】【課題】  コストの高騰を抑制しながらも、撮影チャンスを逃すことがない水中撮影用の防水ケースを提供する点にある。【解決手段】  撮像手段を収容して水中を撮影可能なケース本体２と、このケース本体２の一端の取付部３から他端の取付部４に該ケース本体２の上方を通って連結される連結部材５と、この連結部材５の中間部に一端が係止保持され、かつ、他端にワイヤー、紐、ロープ、釣り糸などの紐状部材６を括ることができるサルカン７とを備えた。【選択図】        図１
2006191923.tif 000002
【特許請求の範囲】
【請求項１】
撮像手段を収容して水中を撮影可能なケース本体と、このケース本体の一端の取付部から他端の取付部に該ケース本体の上方を通って連結される連結部材と、この連結部材の中間部に一端が係止保持され、かつ、他端にワイヤー、紐、ロープ、釣り糸などの紐状部材を括ることができるサルカンとを備えてなることを特徴とする水中撮影用の防水ケース。
【請求項２】
前記連結部材が、前記ケース本体の一端の取付部から他端の取付部とを連結するワイヤー、紐、ロープ、釣り糸などの紐状部材と、この紐状部材に外装される保形性を有する直線状のパイプと、このパイプの中間部に外嵌固定され、かつ、前記サルカンの一端が係止保持されるリング部材とからなる請求項１記載の水中撮影用の防水ケース。
【請求項３】
前記ケース本体の一端の取付部から他端の取付部に外ケースの下方を通って連結されるワイヤー、紐、ロープ、釣り糸などの紐状部材に、撒き餌籠を取り付けるための取付具を備えさせてなる請求項１又は２に記載の水中撮影用の防水ケース。
【請求項４】
前記ケース本体を水中に投入した状態において、水面に接触して該ケース本体の姿勢を水平姿勢に保持するための姿勢保持部を該ケース本体の横側部に備えさせてなる請求項１〜３のいずれかに記載の水中撮影用の防水ケース。
【発明の詳細な説明】
【技術分野】
【０００１】
本発明は、カメラ付き携帯電話やカメラなどの撮像手段を収容することができるケース本体に釣り糸の先端を括り付け、水中にケース本体を沈み込める、又は水面上を浮遊させた状態でケース本体の底面から海中又は水中を撮影することができる水中撮影用の防水ケースに関する。尚、ここで言う水中とは、川や池などの水の中の他、海の中も含むものとする。
【背景技術】
【０００２】
上記水中撮影用の防水ケースとしては、釣り糸本体から繰り出される釣り糸の先端に専用の水中カメラセットを設け、その水中カメラユニットで撮像した水中の画像情報を釣り竿本体に設けた専用のモニタ操作ユニットでモニタ表示することができる画像モニタ付き釣り具が示されている（例えば、特許文献１参照。）。
【特許文献１】特開２００１−２５８４４５号公報（図１、図２参照）
【発明の開示】
【発明が解決しようとする課題】
【０００３】
上記特許文献１の釣具によれば、専用の水中カメラユニットを購入しなければならないだけでなく、専用のモニタ操作ユニットをも購入しなければならないため、水中を撮影するためのコストが高価になる不都合があった。
又、水中カメラユニットを釣り糸に直接取り付けているため、糸よれなどが発生したときや水中で水圧を受けたときに、水中カメラユニットが不測に回転したり大きく左右方向及び上下方向に揺れてしまい、映像を撮る事ができないこともあり、撮影チャンスを逃してしまうことがあった。
【０００４】
本発明が前述の状況に鑑み、解決しようとするところは、コストの高騰を抑制しながらも、撮影チャンスを逃すことがない水中撮影用の防水ケースを提供する点にある。
【課題を解決するための手段】
【０００５】
本発明は、前述の課題解決のために、撮像手段を収容して水中を撮影可能なケース本体と、このケース本体の一端の取付部から他端の取付部に該ケース本体の上方を通って連結される連結部材と、この連結部材の中間部に一端が係止保持され、かつ、他端にワイヤー、紐、ロープ、釣り糸などの紐状部材を括ることができるサルカンとを備えてなることを特徴としている。
ケース本体の一端の取付部から他端の取付部にケース本体の上方を通って連結される連結部材にて、ケース本体を強固に支持することができるから、紐状部材（釣り糸など）からの上下振動を受けたり、水中で水圧を受けた場合でも、ケース本体が上下方向に大きく揺れることがないだけでなく、ケース本体が回転することもない。又、サルカンにて連結部材と紐状部材（釣り糸など）とを連結することによって、紐よれ（特に釣り糸の場合には糸よれ）が発生した場合でも、サルカンにて吸収することができるから、ケース本体が回転することを確実に回避することができる。そして、ケース本体にカメラ付き携帯電話やカメラなどを収容して、水中の映像を撮像することができる。前記ケース本体の全体を透明部材で構成することによって、上面及び下面あるいは横側面のどの箇所からも水中を撮影できるようにしてもよいし、ケース本体の特定箇所、例えば底部又は底部の一部のみを透明に構成し、底部（下面）を通して水中を撮影してもよい。
【０００６】
前記連結部材を、前記ケース本体の一端の取付部から他端の取付部とを連結するワイヤー、紐、ロープ、釣り糸などの紐状部材と、この紐状部材に外装される保形性を有する直線状のパイプと、このパイプの中間部に外嵌固定され、かつ、前記サルカンの一端が係止保持されるリング部材とから構成してもよい。
【０００７】
前記ケース本体の一端の取付部から他端の取付部に外ケースの下方を通って連結されるワイヤー、紐、ロープ、釣り糸などの紐状部材に、撒き餌籠を取り付けるためのサルカンを備えさせてもよい。
【０００８】
前記ケース本体を水中に投入した状態において、水面に接触して該ケース本体の姿勢を水平姿勢に保持するための姿勢保持部を該ケース本体の横側部に備えさせてもよい。前記姿勢保持部を水平姿勢のものから構成する他、初期状態において、ケース本体から離れる側ほど下方に位置する傾斜姿勢としてもよい。この傾斜姿勢の姿勢保持部が水中に入り込んで水の抵抗を姿勢保持部が受けることによって、ケース本体を水平姿勢に維持できるようにする他、傾斜姿勢の姿勢保持部が水面に接触して水面からの反力を受けて水平方向に姿勢変更し、その水平姿勢となった姿勢保持部にてケース本体を水平姿勢に維持できるように構成してもよい。
【発明の効果】
【０００９】
ケース本体の一端の取付部から他端の取付部に該ケース本体の上方を通って連結される連結部材と、この連結部材の中間部に一端が係止保持されたサルカンとを備えさせることによって、ケース本体にカメラ付き携帯電話やカメラなどを収容して、水中の映像を撮像することができるから、従来のように専用のカメラを購入する必要がなく、コストの高騰を抑制しながらも、ケース本体が不測に揺れたり、回転することがなく、撮像チャンスを逃すことがない水中撮影用の防水ケースを提供することができる。
【００１０】
連結部材を、ケース本体の一端の取付部から他端の取付部とを連結するワイヤー、紐、ロープ、釣り糸などの紐状部材と、この紐状部材に外装される保形性を有する直線状のパイプと、このパイプの中間部に外嵌固定され、かつ、サルカンの一端が係止保持されるリング部材とから構成することによって、パイプの長さを変更する、つまり紐状部材と同じ長さに近づければ近づけるだけ、釣り糸とケース本体との間を固く連結することができ、ケース本体の大きさなどに応じて連結の固さ調節することができる。
【００１１】
ケース本体の一端の取付部から他端の取付部に外ケースの下方を通って連結されるワイヤー、紐、ロープ、釣り糸などの紐状部材に、撒き餌籠を取り付けるための取付具を備えさせることによって、撒き餌籠を取り付けて撒き餌をすることで、魚を寄せてその寄ってきた魚を撮像することができる。
【００１２】
ケース本体を水中に投入した状態において、水面に接触してケース本体の姿勢を水平姿勢に保持するための姿勢保持部をケース本体の横側部に備えさせることによって、水圧を受けた場合でも、水圧を姿勢保持部にて吸収することによって、ケース本体が大きく上下に揺れることを回避することができる。
【発明を実施するための最良の形態】
【００１３】
図１は、本発明の水中撮影用の防水ケースを示す正面図であり、図１において紙面を貫通する方向を防水ケースの前後方向とし、紙面の左右方向を防水ケースの左右方向とする。この防水ケースは、撮像手段としてのカメラ付携帯電話１（図１１、図１２、図１３参照）を収容して防水ケースの底面から下方の水中を撮影可能なケース本体２と、このケース本体２の一端（図では左端）に備えさせた取付部３から他端（図では右端）に備えさせた取付部４に該ケース本体２の上方を通って連結される連結部材５と、この連結部材５の中間部に一端（下端）が係止保持され、かつ、他端（上端）に釣り糸６を括ることができる釣り用のフック付サルカン７とを備えている。ここでは、取り外しが容易なようにフック付サルカン７を用いているが、フックの無いサルカンであってもよい。前記フック付サルカン７は、図８にも示すように、サルカン本体ａの両端にリング状の止め環７ｂ，７ｂが回転自在に連結され、一方の止め環７ｂ（図では下側のもの）にフック７Ａが連結されている。又、紐状部材として釣り糸６を示しているが、ワイヤー、紐、ロープなどであってもよいが、釣り糸６を使用する場合には、フック付サルカン７にて糸よれを確実に回避することができる利点がある。又、前記ワイヤー、紐、ロープ、釣り糸などの紐状部材を浮き袋や手こぎボートなどに括りつけて、防水ケースを浮き袋や手こぎボートなどに連結して使用することもできる。又、前記携帯電話１は通信機能を備えていることから、この携帯電話１に代えて、小型のＣＣＤカメラとデータ用の通信カードとを組み合わせた通信可能なものであってもよい。
【００１４】
前記ケース本体２は、平面視ほぼ長方形状の底板部８Ａとこの底板部８Ａの外周縁から上方に立ち上げた４つの側板部８Ｂ，８Ｃ，８Ｄ，８Ｅとからなり、透明性があり変形が少なく傷が付きにくく変形のし難い硬質合成樹脂などの材料を使用してなる下側ケース部８と、この下側ケース部８の上端に形成の開口部８Ｋを閉じると共に水密状態で閉じることができる該下側ケース部８と同一材料でなる上側ケース部９とからなっている。前記上側ケース部９は、前記下側ケース部８の上端面に接当して上方へ立ち上げられた４つの側板部９Ｂ，９Ｃ，９Ｄ，９Ｅと、これら４つの側板部９Ｂ，９Ｃ，９Ｄ，９Ｅの上端を連結する天板部９Ａとからなっている。ここでは、下側ケース部８と上側ケース部９を透明な合成樹脂で構成することによって、内部に収容したカメラ付携帯電話１などを直ちに透視することができる利点や、底板部８Ａ以外の箇所から水中をカメラ付携帯電話１などにて撮影することができる利点があるが、下側ケース部８の底板部８Ａの全部又は一部のみを透明な合成樹脂又は硬質ガラスなどで構成して実施することもできる。前記取付部３，４は、後述のワイヤ１５やフック２２Ａを挿通することができる貫通孔を形成できるように、前記下側ケース部８の左右の側板部８Ｄ，８Ｅから左右にほぼ半円状に突出形成した棒状部からなっているが、他の形状であってもよい。
【００１５】
そして、図１〜図４に示すように、下側ケース部８の前後の側板部８Ｂ，８Ｃの左右方向ほぼ中央位置でかつ上部位置に設けた水平の第１ピンＰ１の軸芯周りで揺動自在に補助揺動部材１４の一端を連結し、その揺動部材１４の他端に貫通する水平の第２ピンＰ２の左右突出端に、上側ケース部９の前後の側板部９Ｂ，９Ｃに形成の凹部１０，１１に入り込んで係止保持可能な係止部材１２，１２の一端を揺動自在に連結している。従って、図４に示すように、係止解除状態の前後一対の係止部材１２，１２を上方へ揺動させると同時に補助揺動部材１４を第１ピンＰ１周りで上方へ揺動させることによって、図３の２点鎖線で示すように上側ケース部９の上端側へ一旦持ち上げることができる。この状態から、係止部材１２，１２を下方へ移動させることにより、補助揺動部材１４をピンＰ１周りで下方へ揺動させながら係止部材１２，１２を凹部１０，１１に入り込ませて凹部１０，１１の被係止部１０Ａ，１１Ａに係止部材１２，１２の係止爪１２Ａ，１２Ａを係止させることで、上側ケース部９と下側ケース部８とを係止部材１２，１２で密封し防浸するように構成している。図１に示す１３は、下側ケース部８の底面から下方へ突出する突起部であり、下側ケース部８の底面に４ヶ所あり、床などに下側ケース部８の底面を直接置いて床面との接触などにより下側ケース部８の底面を傷つけて、カメラの写りに影響を及ぼすことがないようにするためのものである。前記下側ケース部８と上側ケース部９との固定手段として補助揺動部材１４と係止部材１２，１２とから構成したが、他の構成であってもよい。
【００１６】
前記下側ケース部８に、前記突起部１３及び取付部３，４を一体成形することによって、下側ケース部８に対する突起部１３及び取付部３，４の結合強度を高めるようにしているが、突起部１３及び取付部３，４を別に成形し、別体成形された突起部１３及び取付部３，４を下側ケース部８に接着剤を用いて一体化してもよい。尚、突起部１３及び取付部３，４は下側ケース部８と同一材料で構成する他、他の材料であってもよい。
【００１７】
図１及び図５に示すように、前記連結部材５を、前記ケース本体２の一端の取付部３から他端の取付部４とを連結する紐状部材としてのワイヤー１５と、このワイヤ１５に外装される保形性を有する直線状のパイプ１６と、このパイプ１６の中間部に外嵌固定され、かつ、前記フック付サルカン７のフック部７Ａが係止保持されるリング部材（スプリットリング）１７（図６参照）とから構成しているが、他の構成であってもよい。前記ワイヤ１５の両端を、前記取付部３，４の孔にそれぞれ通してからワイヤ１５に外装している金属製の円筒状部材１８に差し込んでからカシめる（圧着する）ことによって、ワイヤ１５の両端を取付部３，４のそれぞれに連結固定することができるようになっているが、他の方法であってもよい。前記紐状部材としては、ワイヤ１５の他、紐、ロープ、釣り糸などを用いることができる。前記リング部材１７をそれの直径が小さくなるように押し潰すことによって、パイプ１６に対してリング部材１７を強固に取り付けるようにする他、パイプ１６の外径寸法に対して小さな内径寸法のリング部材１７を無理に外嵌することによって、パイプ１６にリング部材１７を強固に取り付けることができるようにしてもよい。
【００１８】
前記パイプ１６とスプリットリング１７は、ケース本体２が水中での水圧（特に横方向の水圧）に耐え、上下方向に揺れたり、旋回（回転）しないようになっている。前記パイプ１６はワイヤ１５と完全に固定しないで緩やかに移動できるように両者のサイズを設定し、材料は硬質合成樹脂などを用いる。このパイプ１６を移動することで、ケース本体２の左右方向の均衡（バランス）を保つことができる。しかも、前述のようにパイプ１６内にワイヤ１５を入れることで、釣り糸６とケース本体２とを固く連結することができるから、水中での水圧を受けた場合や水面で波を受けた場合でも、ケース本体２が旋回（回転）できないので、ブレの少ない撮影ができる利点がある。また、前記スプリットリング１７は、防錆性の超弾性合金材料などを使用し、図６のように２つの孔が隣り合わせに形成された８の字型としているが、他の形状のものであってもよい。このように２つの輪のつながった８の字型にすることで、２つの輪同士は動かないので、水流を受けてケース本体２が横揺れすることを少なくすることができる。又、釣り糸６と連結部材５との間をフック付サルカン７にて連結することによって、釣り糸６に糸よれが発生した場合でも、サルカン７のリングが回転するだけで、ケース本体２が回転することを確実に阻止することができる。
【００１９】
図１及び図７に示すように、前記ケース本体２の一端の取付部３から他端の取付部４にケース本体２の下方を通って連結される紐状部材としてのワイヤー１９に、撒き餌籠２０を取り付けるためのフック付サルカン（フックの無いタイプであってもよい）２１を備えさせて実施することもできる。この場合、ワイヤ１９の両端を取付部３，４に一端が連結されたフック付サルカン２２の他端に通した後、前述のようにワイヤ１９に外装している金属製の円筒状部材２３に差し込んでからカシめる（圧着する）ことによって、ワイヤ２３の両端をサルカン２２，２２のそれぞれに連結固定することができるようになっているが、他の方法であってもよい。前記フック付サルカン２１とすることによって、取付部３，４に対してフック部２２Ａを係止解除操作するだけで、不要時においてワイヤ１９などを一挙に取り外すことができるようになっているが、ワイヤ１９を直接取付部３，４に連結した構成であってもよい。前記フック付サルカン２１又は２２は、前記フック付サルカン７と同様に、サルカン本体２１ａ又は２２ａの両端にリング状の止め環２１ｂ，２１ｂ又は２２ｂ，２２ｂが回転自在に連結され、一方の止め環２１ｂ又は２２ｂ（図では下側のもの）にフック２１Ａ又は２２Ａが連結されている。
【００２０】
図示していないが、フラッシュが付いていないカメラ付携帯などはケース本体２内に照明（ライト）を入れて水中を照らして撮影することもできる。この場合、照明を入れるライト入れに入れてからケース本体２に入れるようにしてもよい。このライト入れは、透過性があり変形が少ない硬質合成樹脂などを使用し、ケース本体２の底板部の内面に強固に接着することになる。図９、図１１、図１２に示す３８，３８は、棒状のライト（ケミ蛍などでもよい）などをケース本体２内で立てた状態に保持するための半円状の一対の挟持部材であるが、なくてもよい。
【００２１】
図９に示すように、下側ケース部８の底部内面に、携帯電話を保護するための３つの保護部材２４A〜２４Cを所定位置に貼り付けている。従って、図１１〜図１３に示すように、ケース本体２内の携帯電話をどのように配置したとしても、保護部材２４A〜２４Cのうちのいずれかの保護部材に携帯電話１が接当した状態になるように構成している。前記保護部材２４Ａ，２４Ｂ，２４Ｃは、変色や腐食性の少ない硬質スポンジなどからなり、携帯電話１は勿論のこと、携帯電話１のカメラレンズ１Ａも傷つけることがないようにしている。例えば、水中に浮かべているケース本体２が波を受けて上下に大きく移動したときに、ケース本体２内で携帯電話１が不測に移動してケース本体２の内面に衝突することがないように保護部材２４Ａ，２４Ｂ，２４Ｃにて携帯電話１を受け止めてケース本体２との衝撃力を和らげるクッションの役目を果たすようになっている。
【００２２】
図３、図４及び図１０には、携帯電話１を上方から押さえ付けて固定するための固定部材２５を、上側ケース部９の天板部９Ａの内面（下面）に貼り付けている。この固定部材２５は、変色や腐食性の少ないやや軟質スポンジなどを使用し、厚さの異なる携帯電話でも押圧して下側ケース部８に固定することができるようになっている。また、上側ケース部９の下端面、つまり下側ケース部８との接触部（結合部）には、ゴムパッキンなどのシール材２６を接着などにより備えさせることで、上側ケース部９と下側ケース部８との密着性と気密性が増し、防水効果を向上させることができる。
【００２３】
図１１〜図１４に示す温度計２７は、シール型などのできるだけ薄型の軽いものから構成されており、下側ケース部８の底板部８Ａの外面に強固に接着することで、ケース本体２を水中に入れるだけで手軽に温度を知ることができるようにしているが、無くてもよい。
【００２４】
以上のように構成された防水ケースを用いて、水中を撮影することについて説明する。まず、図１に示す状態になった防水ケースを予め用意しておく。次に、前記防水ケースを投入する前に、撮影の起動を開始させたビデオカメラ付きの携帯電話１を、図１１〜図１３を参考にして下側ケース部８内に収容してから上側ケース部９を被せた後、係止部材１２，１２を用いてケース本体２を密封する。このとき、必要に応じて水中に投入するケース本体２の傾きを均衡化するために、パイプ１６を動かしてバランスを取っておいてもよい。続いて、撒き餌籠（撒き餌籠を装着していないものでもよい）２０に餌を入れた後、釣り竿を操作して水中へゆっくりと撒き餌籠２０、ケース本体２を順次投入してケース本体２を水面に浮かべることにより、撒き餌籠２０からの餌に集まってきた魚の水中撮影をケース本体２の底板部３０Ａを通して行うことができる。前記水中撮影が終了した後は、ケース本体２から携帯電話１を取り出して携帯電話１の画面に直接映像を映し出して見たり、他の機器へ撮像した画像を転送又は記憶させてもよい。尚、波止場、テトラ、磯などで撮影する場合には、できるだけ長い竿など棒状の長い物を支えとし、釣り竿に備えているリールの釣り糸の先端などにサルカン７を直接結び付けて使用することになる。船や川など足元での撮影の場合は、釣り竿を省略し、直接釣り糸を手に持つなどして水中撮影をしてもよい。
【００２５】
前記のように携帯電話１の撮影を開始させてから該携帯電話１をケース本体２に入れるようにしたが、例えば、通信機能を持つ携帯電話をケース本体２に収容し、もう１台の通信機能を持つ携帯電話から電話網やインターネット網などを利用してアクセスすることにより、ケース本体２内の携帯電話１の撮影を開始したり、終了させることができるようにしてもよい。この場合、アクセスした電話をテレビ電話としてライブ中継を行って映像を楽しむこともできる。ここでは、携帯電話１を示しているが、デジタルカメラやビデオカメラなどの各種のカメラをケース本体２に収容して水中撮影を行ってもよい。
【００２６】
前記ケース本体２は、水面に浮かせた状態で使用することになるが、図１に示す撒き餌籠２０に代えて錘をフック付サルカン２１のフック２１Ａに取り付けることによりケース本体２をゆっくりと沈降させて、釣り竿やリールなどで水深の調整をしながら水中撮影を行うこともできる。水中で使用する場合には、前記のようにライト入れに、ペン型ライトや集魚用の使い捨てライト（ケミ蛍）などを挿入して水中をライティングすることにより、暗い水中撮影にも効果を発揮することができる。
【００２７】
また、通常、ケース本体２は、ゆるやかに水面と平行を保ちながら釣り竿などの真下に着水させて使用するが、丈夫な釣り糸などを使用する場合には、前記のようにフック付サルカン２１のフック２１Ａに錘をつけることによりケース本体２を遠投して遠くの水中映像を撮影することもできる。遠投で使用する場合には、ケース本体２の回りに丈夫なゴムバンドにて２ヶ所以上縛ることによって、係止部材１２，１２の係止が解除されても上側ケース部９と下側ケース部８とが開くことがないようにして使うことが望ましい。
【００２８】
撮影のできる携帯電話においては、撮影機能の起動を開始してからケース本体２に収容して使用する他、収容する携帯電話にインターネットなどからリモートできるプログラムを事前にダウンロードさせておくか、又は最初から内蔵書き込みをしておくことで、他の通信機能を持った携帯電話より収容した携帯電話に対してインターネット経由かリモートコントロールなどで撮影開始、撮影終了の他、カメラズームなどの操作を遠隔で行って使用してもよい。
【００２９】
本発明の防水ケースは、水中で使用する他、雨天など天候の悪い野外で撮影がしたい場合にも使うことができる。
【００３０】
ケース本体２に収容する携帯電話に内蔵している着信メロディなどの音楽や音声を水中の魚に聞かせることによって、魚の音の好き嫌いを撮影された画像を通じて調べることもできる。
【００３１】
図１に示した防水ケースを、図１５〜図２３に示すように構成してもよい。つまり、前記ケース本体２を水中に投入した状態において、水面に接触してケース本体２の姿勢を水平姿勢に保持するための姿勢保持部としての左右一対の第１平板部２８，２８及び後側の第２平板部２９を該ケース本体２の左右の横側部及び後側部に備えさせている。前記第２平板部２９は、場合によっては省略して実施することもできる。又、ケース本体２の前側部に第３平板部を備えさせて実施することもできる。
【００３２】
図１５〜図１７に示すように、前記ケース本体２は、前端が開口された前後に長いボトル状の本体部３０とこの本体部３０の前端開口を閉じる開閉自在な蓋部材３１とからなり、それら本体部３０及び蓋部材３１のうちの少なくとも本体部３０を、透明性があり変形が少なく傷が付きにくく変形のし難い硬質合成樹脂などの材料を用いて構成している。前記本体部３０は、ほぼフラットな水平面からなる底板部３０Ａと、この底板部３０Ａの前端部から上方に立ち上げられ、前側の中心部に開口部が形成された前側板部３０Ｂと、該底板部３０Ａの左右両端から上方に立ち上げられた左右側板部３０Ｃ，３０Ｄと、該底板部３０Ａの後端部から上方に立ち上げながら後方に円弧状に膨出した後板部３０Ｅと、前記４つの板部３０Ｂ，３０Ｃ，３０Ｄ，３０Ｅの上端を連結する天板部３０Ｆとからなっている。前記底板部３０Ａの下面の四隅に、下方へ突出する突起部３２を一体形成してあり、床などに本体部３０の底面を直接置いて床面との接触などにより本体部３０の底面を傷つけて、カメラの写りに影響を及ぼすことがないようにするためのものである。前記本体部３０と蓋部材３１とは互いにねじ作用により固定及び固定解除可能になっており、蓋部材３１のねじ部を本体部３０のねじ部にねじ込むことによって、密閉状態で固定できるようになっている。この場合、両者の接合部にパッキンなどを備えさせておけば、さらに密閉性を高めることができる。
前記本体部３０の後側で左右方向ほぼ中央の下端にルアーを取り付けることができるリング状の取付部３０Ｒを一体形成しているが、省略して実施してもよい。
【００３３】
前述同様に、前記本体部３０の一端（図では前端）に備えさせた取付部３から他端（図では後端）に備えさせた取付部４に該本体部３０の上方を通って連結される連結部材５と、この連結部材５の中間部に一端が係止保持され、かつ、他端に釣り糸６を括ることができる釣り用のフック付サルカン７とを備えている。ここでは、取り外しが容易なようにフック付サルカン７を用いているが、フックの無いサルカンであってもよい。前記フック付サルカン７は、サルカン本体ａの両端にリング状の止め環７ｂ，７ｂが回転自在に連結され、一方の止め環７ｂ（図では下側のもの）にフック７Ａが連結されている。
【００３４】
前記連結部材５を、前述同様に、前記本体部３０の一端の取付部３から他端の取付部４とを連結する紐状部材としてのワイヤー１５と、このワイヤ１５に外装される保形性を有する直線状のパイプ１６と、このパイプ１６の中間部に外嵌固定され、かつ、前記フック付サルカン７のフック部７Ａが係止保持されるリング部材（スプリットリング）１７とから構成しているが、他の構成であってもよい。前記ワイヤ１５の両端を、前記取付部３，４の孔にそれぞれ通してからワイヤ１５に外装している金属製の円筒状部材１８に差し込んでからカシめる（圧着する）ことによって、ワイヤ１５の両端を取付部３，４のそれぞれに連結固定することができるようになっているが、他の方法であってもよい。前記紐状部材としては、ワイヤ１５の他、紐、ロープ、釣り糸などを用いることができる。前記リング部材１７をそれの直径が小さくなるように押し潰すことによって、パイプ１６に対してリング部材１７を強固に取り付けるようにする他、パイプ１６の外径寸法に対して小さな内径寸法のリング部材１７を無理に外嵌することによって、パイプ１６にリング部材１７を強固に取り付けることができるようにしてもよい。
【００３５】
前記左右の第１平板部２８，２８は、柔らかい（柔軟性を有する）合成樹脂（例えば塩化ビニル樹脂など）又はゴムからなり、図１６及び図１７に示すように、左右側板部３０Ｃ，３０Ｄに一体的に備えさせた上下一対の鈎状の被係止部３３，３３に係止する係止部２８Ａを備えており、係脱するだけで左右の第１平板部２８，２８を着脱することができ、不要時や破損などによる交換時には直ちに取り外すことができるように構成しているが、接着剤又は溶着などにより完全に固定して実施することもできる。前記第１平板部２８，２８は、本体部３０から離れる側、つまり左右方向外方側ほど下方に位置する傾斜姿勢にしてあり、この傾斜姿勢の第１平板部２８，２８が水中に入り込んで水の抵抗を受け止めることによって、ケース本体２を水平姿勢に維持できるようにしている。
図１６に示すように、前記左右の第１平板部２８，２８を水圧を受けて上方へ揺動可能となるように構成してもよい。つまり、水中に本体部３０を投入することにより、水面Ｆから受ける水圧にて第１平板部２８，２８が上方に揺動されて水平姿勢（２点鎖線）になるように構成するようにしてもよい。この場合、水面から受ける水圧を水平姿勢の第１平板部２８，２８にて受け止めことになる。又、前記第１平板部２８，２８を、最初から水平姿勢にして実施することもできる。
前記後側の第２平板部２９も同様に、柔らかい（柔軟性を有する）合成樹脂（例えば塩化ビニル樹脂など）又はゴムからなり、図１９に示すように、後板部３０Ｅに一体的に備えさせた上下一対の鈎状の被係止部３４，３４に係止する係止部２９Ａを備えており、係脱するだけで後側の第２平板部２９を着脱することができ、不要時や破損などによる交換時には直ちに取り外すことができるように構成しているが、接着剤又は溶着などにより完全に固定して実施することもできる。前記第２平板部２９は、第１平板部２８，２８とは異なり、水平姿勢としているが、前記第１平板部２８，２８と同様に、本体部３０から離れる側、つまり前後方向外方側ほど下方に位置する傾斜姿勢にしてもよい。また、水中に本体部３０を投入することにより、水面Ｆから受ける水圧にて傾斜姿勢の第２平板部２９が上方に揺動されて水平姿勢に姿勢変更されるように第２平板部２９を構成してもよい。
【００３６】
図２０〜図２２に示すように、前記本体部３０の内面に、上下左右を一回りする長さを有し、かつ、所定の前後の幅寸法を有する３つの保護部材３４Ａ，３４Ｂ，３４Ｃを所定位置に貼り付け、これら保護部材３４Ａ，３４Ｂ，３４Ｃと内部に配置した保持部材３５とにより、図２０（ａ）の底部に配置した携帯電話１、又は図２０（ｂ）の横側部に配置した携帯電話１、又は図２０（ｃ）の上部に配置した携帯電話１を内壁面側へ押圧して、該携帯電話１を本体部３０内に位置保持することができるように構成している。前記保持部材３５は、変色や腐食性の少ない硬質スポンジなどからなり、携帯電話のカメラレンズを傷つけず衝撃時に発生するおきるクッションの役目を果たすようになっている。前記保護部材３４Ａ，３４Ｂ，３４Ｃは、変色や腐食性の少ないやや軟質スポンジなどを使用し、厚さの異なる携帯電話でも押圧して下側ケース部８に固定することができるようになっている。
【００３７】
前記のように構成された防水ケースは、前述のように釣り糸６に連結部材５を介して連結された状態において、蓋部材３１を取り外して携帯電話１を収容してから、撮影を開始することになり、例えば図２１に示すように、水中に沈めた状態で、携帯電話１のカメラにて本体部３０の横側部から水中を撮影することができる。この場合、右側の水平板部２８を取り外しておくと、この水平板部２８が撮影の邪魔になることがない。又、図２２では、防水ケースを水中に沈めてから、その防水ケースの上方を撮影する場合を示している。図２３では、防水ケースの底面から撮影している場合を示している。
【産業上の利用可能性】
【００３８】
本発明では、学校の授業などにおいて、子供でも川や池などで水中の映像が簡単に撮影できるので、実施学習をすることができる。また、水産試験センターなどの研究所ではダイバーなどを使わず、水中の映像が撮影できるので研究効率の向上と経費の削減にも利用できる。
【００３９】
また、本発明は釣り場以外の水中の工事現場などで用いることができる。つまり、長い糸を巻くことができるリールと釣り竿などを使用して、図７のフック付サルカン２１に錘をつけ、本体ケースにはライトを内蔵して、水面から少しずつ沈めていくことで、水面から水底までの広範囲の水中映像を撮影することができる。さらに通信機能を備えた撮影機器であれば、その場でメールを送ることもできるので、現場報告のスピードアップなど作業効率が向上する。
【００４０】
また、筏などで、ワカメやかきの養殖を行っている場合でも、上記のように簡単に水中の状態が手にとるように分かり、生育状態などが常にチェックでき、効率の良い養殖を行うことができる。
【図面の簡単な説明】
【００４１】
【図１】防水ケースの正面図である。
【図２】同ケースの連結部材をはずした状態の正面図である。
【図３】同ケースの図２におけるＩ−Ｉ線の断面図であり、係止部材を係止した状態を示している。
【図４】同ケースの図２におけるＩ−Ｉ線の断面図であり、係止部材を係止解除した状態を示している。
【図５】同ケースの連結部材の拡大図である。
【図６】同ケースのリング部材の取付部での要部の断面図である。
【図７】餌籠を吊り下げる吊り下げ部の拡大図である。
【図８】フック付サルカンの拡大図である。
【図９】下側ケース部の平面図である。
【図１０】上側ケース部の底面図である。
【図１１】下側ケース部に携帯電話を収容した状態を示す平面図である。
【図１２】折り畳んだ携帯電話を収容した下側ケース部の底面図である。
【図１３】カメラ位置の異なる携帯電話を収容した下側ケース部の平面図である。
【図１４】下側ケース部の底面に貼り付けた温度計の拡大図である。
【図１５】第２の防水ケースの側面図である。
【図１６】第２の防水ケースの正面図である。
【図１７】第２の防水ケースの背面図である。
【図１８】第２の防水ケースの平面図である。
【図１９】水平板部の取り付け部の断面を示す分解図である。
【図２０】携帯電話を３つの位置に保持している状態を示し、（ａ）は携帯電話を底部に配置し、（ｂ）は携帯電話を横側部に配置し、（ｃ）は携帯電話を上部に配置している。
【図２１】第２の防水ケースの横側の水中撮影を行うようにした第２の防水ケースの側面図である。
【図２２】第２の防水ケースの上方の水中撮影を行うようにした第２の防水ケースの平面図である。
【図２３】折り畳んだ携帯電話にて第２の防水ケースの底面から下方の水中を撮影するようにした第２の防水ケースの底面図である。
【符号の説明】
【００４２】
１  カメラ付携帯電話（携帯電話）
１Ａ  カメラ
２  ケース本体
３，４  取付部
５  連結部材
６  釣り糸
７  フック付サルカン
７Ａ  フック
７ａ  サルカン本体
７ｂ  止め環
８  下側ケース部
８Ｋ  開口部
８Ｂ，８Ｃ，８Ｄ，８Ｅ  側板部
８Ａ  底板部
９  上側ケース部
９Ａ  天板部
９Ｂ，９Ｃ，９Ｄ，９Ｅ  側板部
１０，１１  凹部
１０Ａ，１１Ａ  被係止部
１２Ａ  係止爪
１２  係止部材
１３  突起部
１４  補助揺動部材
１５  ワイヤ
１６  パイプ
１７  リング部材（スプリットリング）
１８  円筒状部材
１９  ワイヤ
２０  餌籠
２１ａ  サルカン本体
２１Ａ  フック
２１  フック付サルカン
２１ｂ  止め環
２２  フック付サルカン
２２ａ  サルカン本体
２２ｂ  止め環
２２Ａ  フック部
２３  円筒状部材
２５  固定部材
２６  シール材
２７  温度計
２８  第１平板部
２８Ａ  係止部
２９Ａ  係止部
２９  第２平板部
３０Ｂ  前側板部
３０Ａ  底板部
３０Ｆ  天板部
３０Ｅ  後板部
３０  本体部
３１  蓋部材
３２  突起部
２８  水平板部
３０Ｃ，３０Ｄ  左右側板部
３３，３４  被係止部
２４Ａ，２４Ｂ，２４Ｃ  保護部材
３０Ｂ，３０Ｃ，３０Ｄ，３０Ｅ，３０Ｆ  板部
３４Ａ，３４Ｂ，３４Ｃ  保護部材
３５  保持部材
Ｐ１，Ｐ２  ピン
【図１】
2006191923.tif 000003
【図２】
2006191923.tif 000004
【図３】
2006191923.tif 000005
【図４】
2006191923.tif 000006
【図５】
2006191923.tif 000007
【図６】
2006191923.tif 000008
【図７】
2006191923.tif 000009
【図８】
2006191923.tif 000010
【図９】
2006191923.tif 000011
【図１０】
2006191923.tif 000012
【図１１】
2006191923.tif 000013
【図１２】
2006191923.tif 000014
【図１３】
2006191923.tif 000015
【図１４】
2006191923.tif 000016
【図１５】
2006191923.tif 000017
【図１６】
2006191923.tif 000018
【図１７】
2006191923.tif 000019
【図１８】
2006191923.tif 000020
【図１９】
2006191923.tif 000021
【図２０】
2006191923.tif 000022
【図２１】
2006191923.tif 000023
【図２２】
2006191923.tif 000024
【図２３】
2006191923.tif 000025